(57)【要約】      （修正有）【課題】患者が注液口を正確に位置合わせし易く、点眼液を自身の下眼瞼に的確に滴入するのを補助する、位置合わせ点眼効果を有する点眼容器を提供する。【解決手段】中空瓶体１０と、前端に注液口２１を有する口頸部２０とから構成され、口頸部２０と中空瓶体１０とが連結されて瓶体肩部が形成され、口頸部２０の外周面の中間部または後端に、少なくとも１つの位置合わせ装置３０が、注液口２１から距離をあけて周回設置されている。【選択図】図４
0003195465.tif 000002
【実用新案登録請求の範囲】
【請求項１】
中空瓶体と、前端に注液口を有する口頸部とから構成される位置合わせ点眼効果を有する点眼容器であって、前記口頸部と前記中空瓶体とが連結されて瓶体肩部が形成され、前記口頸部の外周面の中間部または後端に、少なくとも１つの位置合わせ装置が、前記注液口から距離をあけて周回設置されていることを特徴とする、位置合わせ点眼効果を有する点眼容器。
【請求項２】
前記位置合わせ装置は、環状係止体であることを特徴とする、請求項１に記載の位置合わせ点眼効果を有する点眼容器。
【請求項３】
前記位置合わせ装置の表面またはその内部に、位置合わせ用色光を発する単色または多色の持続性蛍光物質が設けられることを特徴とする、請求項１に記載の位置合わせ点眼効果を有する点眼容器。
【請求項４】
前記位置合わせ装置の内部に、位置合わせ用色光を発する単色または多色の能動型発光体が設けられることを特徴とする、請求項１に記載の位置合わせ点眼効果を有する点眼容器。
【請求項５】
前記位置合わせ装置の内部或いは前記中空瓶体に、前記能動型発光体の駆動に用いられる発光体駆動モジュールが設けられることを特徴とする、請求項４に記載の位置合わせ点眼効果を有する点眼容器。
【考案の詳細な説明】
【技術分野】
【０００１】
本考案は、点眼容器の周囲に設置された位置合わせ装置を利用することにより、患者が、点眼容器を使用する時に、位置合わせ装置から発射（または反射）された位置合わせ色光によって、点眼液を自身の下眼瞼内に的確に滴入することができる、位置合わせ点眼効果を有する点眼容器に関する。
【背景技術】
【０００２】
人間は、万物の霊長と言われ、また、目Ｅは、霊魂の窓と言われ、各人は、ほぼ刻一刻と目Ｅで外部情報を得ている。とりわけ、科学技術が発達した今日においては、視覚刺激及び使用頻度が日々増加するに伴い、慢性または急性眼疾に罹患する人口がますます多くなっている。しかしながら、大多数の患者は、正しい点眼液の使用方法を理解できず、目Ｅに最良好なケアを受けることができずにいる。
【０００３】
従来、大多数の人は、目薬（以下、点眼液と称する）を使用する時に、点眼液を直接に目Ｅの表面に滴下するため、かえって、目Ｅの角膜が過度な外部刺激を受けることになる（図１参照）。とりわけ、児童は往々にして強烈な不快感のため点薬を拒絶する。前記した薬液の誤った点眼方法では、目に対する刺激が過大となると同時に、目に濃度の高すぎる点眼液を受け入ることは、目に外部からの傷がつきやすくなる原因となる。
【０００４】
専門薬剤師が推奨する正しい点眼液の使用手順は、以下のように行われる。手順１にて、点眼容器を振ってその内部の点眼液の濃度を均一にさせる。手順２にて、患者は、頭部を後方に傾け、その目Ｅを上方（自身の頭頂方向に向け）に向ける（図２参照）。手順３にて、人差し指で自身の下まぶたを引き下ろして下眼瞼Ｅ１内の結膜嚢を露出させた直後、中指で鼻内側と目頭との間の鼻涙管を圧迫する。手順４にて、もう一方の手で点眼容器を持ち、それを目Ｅの上方に配置して懸空させて下眼瞼Ｅ１部位に照準する。手順５にて、点眼容器を押圧することで、点眼液を下眼瞼内に滴入する。手順６にて、目Ｅを軽く閉じて目を数回回すことで、下眼瞼Ｅ１内にある薬液が均一に目Ｅの表面に行き渡る（未図示）。
【考案の概要】
【考案が解決しようとする課題】
【０００５】
上記点眼液の使用手順は、目Ｅの角膜が過度に刺激されるのを防止することができるが、実際に実行することは非常に困難である。その原因を探究してみると、外部光線が充分であるかどうかに拘わらず、患者は、顔を上に向けて見上げて点眼動作を行っても、円滑且つ的確に点眼液を下眼瞼内に滴入しにくいため、大半の場合は、点眼液が顔面に流れ出てしまって（図２参照）、薬液が非常に無駄になると同時に、点眼液を目に滴入する薬量を制御することも難しい。従って、その治療効果を確保できず、目に最適切なケアを受けることができない。
本考案が解決しようとする課題は、上述の問題を解決し、患者が注液口を正確に位置合わせし易く、点眼液を自身の下眼瞼に的確に滴入するのを補助する、位置合わせ点眼効果を有する点眼容器を提供することにある。
【課題を解決するための手段】
【０００６】
本考案は、中空瓶体と、前端に注液口を有する口頸部とから構成される位置合わせ点眼効果を有する点眼容器に関し、前記口頸部と前記中空瓶体とが連結されて瓶体肩部が形成され、前記口頸部の外周面の中間部または後端に、少なくとも１つの位置合わせ装置が、前記注液口から距離をあけて周回設置されている。
【０００７】
前記位置合わせ装置は、環状係止体としてもよい。
前記位置合わせ装置の表面またはその内部に、位置合わせ用色光を発する単色または多色の持続性蛍光物質が設けられることがある。
或いは、前記位置合わせ装置の内部に、位置合わせ用色光を発する単色または多色の能動型発光体が設けられることがある。
この場合、前記位置合わせ装置の内部或いは前記中空瓶体に、前記能動型発光体の駆動に用いられる発光体駆動モジュールを設けてもよい。
【考案の効果】
【０００８】
本考案は、口頸部の中間段またはその後端に、少なくとも１つの位置合わせ装置が周回設置され、位置合わせ装置と口頸部の注液口との間に適切な距離が保持されているので、患者は、位置合わせ装置を完全に視認可能か否かによって、注液口が自身の下眼瞼箇所に正確に照準されているか否かを容易に判断でき、これにより、点眼液を正確に下眼瞼内に滴落することができるので、位置がずれて点眼することによる点眼液の無駄使いのおそれがない。
【図面の簡単な説明】
【０００９】
【図１】従来の誤った点眼方法により、点眼液を直接に目に滴下する状態を示す側面図である。
【図２】従来の点眼容器を使用して正確に点眼を行った場合の正面図である。
【図３】本考案の実施例を示す位置合わせ点眼効果を有する点眼容器の使用状態における側面図である。
【図４】図３の要部拡大図である。
【図５】本考案の実施例を示す位置合わせ点眼効果を有する点眼容器の使用状態における正面図である。
【図６】本考案の他の実施例を示す位置合わせ点眼効果を有する点眼容器の使用状態における正面図である。
【考案を実施するための形態】
【００１０】
以下、本考案の実施例を図面に基づいて詳細に説明する。図３は、本考案の位置合わせ点眼効果を有する点眼容器の使用状態を示す側面図、図４は、図３の要部拡大図、図５は、位置合わせ点眼効果を有する点眼容器の使用状態を示す正面図である。
図３〜図５に示すように、点眼容器１は、内部に点眼液を充填可能な中空瓶体１０及び注液口２１を有する口頸部２０から構成され、かつ口頸部２０と中空瓶体１０とが一体的に連結される。
中空瓶体１０は、内部に点眼液を収容できるものであれば、その外観形状は、円形、方形または多辺形体に限定されない。
【００１１】
口頸部２０の形状は、中空瓶体１０よりも細い中空筒体であることが最適であり、その外周面の中間部にキャップと合わせるねじ山２０１またはラッチ機構（未図示）が設けられる。また、口頸部２０の前端に注液口２１が設けられ、口頸部２０の後端と中空瓶体１０とが一体的に連結されて瓶体肩部が形成される。
口頸部２０の内部は中空瓶体１０と連通され、中空瓶体１０内の点眼液が口頸部２０を通過してその注液口２１から緩慢に滴出するようになっている。
【００１２】
口頸部２０の外周面の中間部または後端において、ねじ山２０１またはラッチ機構の後方に、少なくとも１つの位置合わせ装置３０が注液口２１から距離をあけて周回設置されている。本実施例において、位置合わせ装置３０は、環状係止体３０１より成り、その直径はねじ山２０１またはラッチ機構の直径より大きく形成されている。環状係止体３０１とは、口頸部２０の外周面に周方向へ取り巻くよう係止される環状の部材である。
そして、患者は、注液口２１を目Ｅの上方に配置した時、位置合わせ装置３０（図３参照）を周方向に完全に視認可能か否かにより、注液口２１が自身の下眼瞼Ｅ１箇所に照準されているか否かを判断することができる。
なお、位置合わせ装置３０は、環状係止体３０１のみに限定されるものではない。
【００１３】
本考案の点眼容器１に設置する位置合わせ装置３０の主要目的は、患者が、目Ｅを経由して環状係止体３０１（即ち、位置合わせ装置３０）を完全に視認可能か否かにより、注液口２１を自身の下眼瞼Ｅ１箇所に正確に照準してあるか否かを判断することである。これ故、環状係止体３０１は、点眼容器１のその他部分と顕著な区別を生じる必要があり、これにより、患者は、環状係止体３０１の所在位置を容易に識別することが可能となる。
患者が、環状係止体３０１と中空瓶体１０との両者を混同しないよう、環状係止体３０１の位置合わせ用色光は、中空瓶体１０や口頸部２０の色彩と相異なる必要があり、さらに、環状係止体３０１は、より積極的に必要に応じて単色または多色の位置合わせ用色光を能動的または受動的に発射（または反射）するように設計されてもよい。環状係止体３０１が位置合わせ用色光を受動的に発射（または反射）する場合、単色または多色の持続性蛍光物質３０２または反射物質を環状係止体３０１の表面に塗布してもよく、またはその内部に混合してもよい（図５参照）。
【００１４】
図６は、本考案の他の実施例を示す。
この実施例では、単色または多色の能動型発光体３０３（例えば発光ダイオードＬＥＤなど）を環状係止体３０１の内部に設けると共に、発光体を駆動させる発光体駆動モジュール（未図示）を環状係止体３０１の内部或いは中空瓶体１０に設置し、環状係止体３０１が位置合わせ用色光を能動的に発射するようになっている。
発光体駆動モジュールの電気回路設計、開閉位置またはどんな種類の電池（電源）規格を採用するか、及び中空瓶体１０のどんな箇所に設置するかなどは、本考案の主要部ではないので、ここでの説明は省略する。
【００１５】
本考案の点眼容器１を使用するには、前記した専門薬剤師の推奨使用手順に従って、まず、点眼容器１を振って中空瓶体１０の内部の点眼液の濃度を均一にさせる必要がある。
次に、自身の頭部を後方に傾け、目を真上（自身の頭頂方向に向け）に向ける。そして、人差し指で自身の下まぶたを引き下ろして眼底の結膜嚢を露出させる（図３参照）。
それから、もう一方の手で中空瓶体１０を持ち、それを目の上方に注液口２１が下になるよう配置して、口頸部２０に設けた環状係止体３０１が完全に視認可能になる（図４の矢印参照）まで位置調整を行う。環状係止体３０１を完全に視認できることは、注液口２１が目Ｅの下眼瞼Ｅ１部位に正確に照準されていることを意味する。
その後、中空瓶体１０を押圧することで、点眼液を注液口２１から下眼瞼Ｅ１内に滴入する。そして、目を軽く閉じて目を数回回すことで、下眼瞼Ｅ１内にある薬液が均一に目の表面に行き渡れば（未図示）、点薬動作が完成する。
【００１６】
以上は、本考案の好ましい実施例に過ぎず、本考案の権利範囲を制限するものではない。本考案の技術分野を熟知する当業者であれば、上記に開示した技術内容を利用して、若干の変更または修飾を加えて同等効果を有する実施例が得られる。なお、本考案の実用新案登録請求の範囲から逸脱しない限り、本考案の技術の本質に基づいて上記実施例に対して行う簡単な修正、変更及び修飾はいずれも本考案の権利範囲に属する。
【符号の説明】
【００１７】
１：点眼容器
１０：中空瓶体
２０：口頸部
２０１：ねじ山
２１：注液口
３０：位置合わせ装置
３０１：環状係止体
３０２：蛍光物質
Ｅ：目
Ｅ１：下眼瞼
【図１】
0003195465.tif 000003
【図２】
0003195465.tif 000004
【図３】
0003195465.tif 000005
【図４】
0003195465.tif 000006
【図５】
0003195465.tif 000007
【図６】
0003195465.tif 000008